(57)【要約】【課題】サニタリー用品などでも細かく粉砕できるようにする。【解決手段】３つに分割されたうちの中間便器部１００Ｂに粉砕手段７０が固定される。粉砕ユニット６０は互いに噛合する回転刃７４，７６からなる粉砕手段７０を有する。その回転軸７０ａ，７０ｂは取り付け部材８０に取り付けられる。取り付け部材は軸支手段９０，９２と、これを支持する部材（中間便器部）で構成される。排泄物やサニタリー用品などは回転刃によって切断・粉砕される。粉砕物は溜まり部底部に落下する。粉砕処理中あるいは粉砕処理後に、開口側から洗浄水を流し込むことで、粉砕されたサニタリー用品はこの洗浄水と共に排出口から下水管側に排出される。粉砕手段を保守・点検等のときには中間便器部全体を便器から取り外す。取り外したときは、中間便器部と同一形状の代替部材が上部便器部と底部便器部との間に装着固定された状態で使用される。【選択図】        図４
2007239264.tif 000002
【特許請求の範囲】
【請求項１】
底部が溜まり部となされた便器と、
上記溜まり部を横切るように取り付けられ、上記便器に対して着脱自在な粉砕ユニットとで構成され、
上記粉砕ユニットは、互いに噛合し合う少なくとも一対の回転刃部材で構成された粉砕手段と、その取り付け部材とを有し、
上記回転刃部材は、同軸上に所定の間隔を保持して設けられた複数の回転刃で構成される
ことを特徴とするトイレ装置。
【請求項２】
上記便器が、上部便器部、底部便器部およびその中間便器部で構成され、
上記中間便器部は、上記上部便器部および底部便器部に対して取り外しができるように構成されると共に、この中間便器部が上記粉砕ユニットを構成する上記取り付け部材として使用される
ことを特徴とする請求項１記載のトイレ装置。
【請求項３】
上記回転刃部材に対する駆動手段が上記中間取り付け部材の外周面に配設された
ことを特徴とする請求項１，２記載のトイレ装置。
【請求項４】
上記粉砕ユニットに対しては，代替部材を装着できるようになされた
ことを特徴とする請求項１記載のトイレ装置。
【請求項５】
上記便器のうち、上記溜まり部に対応した一方の側壁に、上記粉砕ユニットに対する装着孔が設けられると共に、
他方の側壁には上記粉砕ユニットを支持する支持部が設けられ、
上記装着孔を介して上記粉砕ユニットが上記便器の溜まり部に取り付け固定される
ことを特徴とする請求項１記載のトイレ装置。
【請求項６】
上記装着孔は、代替部材で閉塞できるようになされた
ことを特徴とする請求項５記載のトイレ装置。
【請求項７】
上記便器内であって、上記溜まり部の上方には、上記回転刃部材を一部閉塞するように、便器内部に突出した庇部が設けられた
ことを特徴する請求項１記載のトイレ装置。
【発明の詳細な説明】
【技術分野】
【０００１】
この発明はサニタリー用品をも粉砕処理できるようにした粉砕ユニットを備えたトイレ装置に関する。詳しくは、粉砕ユニットを構成する粉砕手段として回転刃を多数備えた回転刃部材を用い、これらを互いに噛合させながら駆動することで、サニタリー用品を効率よく粉砕できるようにすると共に、粉砕ユニットを便器から取り外してもトイレを使用できるようにしたものである。
【背景技術】
【０００２】
生理用品などで代表されるサニタリー用品は、使用後直接水洗トイレなどに投棄すると、排水管などが詰まったりするおそれがある。そのため、サニタリー用品などは使用後トイレに備え付けられた専用のゴミ箱に投棄するか、ポリ袋などに入れてゴミ回収日まで保管し、燃えるゴミとして廃棄処分されるのが普通である。
【０００３】
しかし、日常使用している水洗トイレ（固定式トイレ装置）を用いてサニタリー用品も排出処理できれば非常に便利である。また、最近では、トイレ用のティッシュペーパーを始めとしてベビー用の紙おむつや、成人介護用の紙おむつなどが普及しているが、これらの紙おむつなどもサニタリー用品と同じように、同じ固定式のトイレ装置を用いて処理できれば非常に便利である。
【０００４】
看護用や介護用として使用される可搬型の簡易トイレ装置にあっても、これが水洗式であるような場合には、固定式トイレ装置と同じくサニタリー用品などをも処理できれば好ましい。
【０００５】
このうち可搬型の簡易トイレ装置にあっては、汚物を粉砕処理してから排出する技術が知られている（例えば、特許文献１および特許文献２）。
【０００６】
【特許文献１】特開２０００−８４４２号公報
【特許文献２】特開２００１−２７５８８５号公報
【発明の開示】
【発明が解決しようとする課題】
【０００７】
ところで、特許文献１や特許文献２に開示された簡易トイレ装置では、何れも汚物などを処理する手段として攪拌手段が使用されている。便器の溜まり部内に設置された攪拌手段を駆動することで、汚物を粉砕してから排出するようにしているが、汚物はともかくとして、上述した紙おむつなどを含むサニタリー用品についてはこれを粉砕することが困難になる。溜まり部内を攪拌するだけでは十分ではないからである。したがって、この可搬型の簡易トイレ装置に採用されている技術をそのまま固定式のトイレ装置に転用することもできない。
【０００８】
また、溜まり部内に設置される攪拌手段などは汚れ易いので、衛生上定期的に清掃することが好ましい。上述した簡易トイレ装置では、溜まり部自体が狭いので、清掃しずらい。固定式のトイレ装置に応用した場合でも、攪拌手段は便器に固定されているので、簡単には清掃できない。
【０００９】
もちろん、攪拌手段が便器に据え付けられているので、攪拌手段が故障したようなときは、簡単には修理できず、修理中はトイレが使用できなくなってしまう。できれば、攪拌手段を取り外しても、普通通りトイレを使用できた方が好ましい。
【００１０】
そこで、この発明はこのような従来の課題を解決したものであって、特に２つの回転刃を互いに噛み合わせた構成の粉砕手段を用いることで、紙おむつなどを含めたサニタリー用品を確実に粉砕処理できるようにすると共に、粉砕手段を含めた粉砕ユニットを便器から取り外しても、普通通りのトイレ装置として使用できるようにしたトイレ装置を提案するものである。
【課題を解決するための手段】
【００１１】
上述の課題を解決するため、請求項１に記載したこの発明に係るトイレ装置は、
底部が溜まり部となされた便器と、
上記溜まり部を横切るように取り付けられ、上記便器に対して着脱自在な粉砕ユニットとで構成され、
上記粉砕ユニットは、互いに噛合し合う少なくとも一対の回転刃部材で構成された粉砕手段と、その取り付け部材とを有し、
上記回転刃部材は、同軸上に所定の間隔を保持して設けられた複数の回転刃で構成される
ことを特徴とする。
【００１２】
この発明では、便器の溜まり部を横切って塞ぐように粉砕ユニットが取り付けられる。粉砕ユニットは粉砕手段とその取り付け部材とで構成される。便器は、上部便器部と、底部便器部とその間に位置する中間便器部とで構成される。中間便器部は上部便器部と底部便器部とにビスなどの固定部材を使用して水密的に固定される。粉砕ユニットの取り付け部材として中間便器部が使用される。
【００１３】
粉砕手段は、互いに噛合する少なくとも第１および第２の回転刃部材を有する。これらの回転刃部材は、同軸上に所定の間隔を保持して設けられた複数の回転刃で構成される。取り付け部材の外周面には、第１および第２の回転刃部材の駆動手段が配設される。粉砕ユニットに対しては代替部材を装着できるようになされる。したがって、中間便器部を上部便器部と底部便器部との間に取り付け固定することで、便器の溜まり部内に粉砕手段が回転駆動自在に備え付けられたことになる。
【００１４】
上部便器部側から投下されたサニタリー用品は第１の回転刃部材と第２の回転刃部材との間に掻き込まれることで、サニタリー用品は複数の回転刃によって切断されながら粉砕される。回転刃としてクロスカット刃を使用する場合には、この回転刃によって細かく裁断された状態で粉砕される。
【００１５】
粉砕されたサニタリー用品は回転刃部材の下側（溜まり部底部）に落下する。したがって粉砕処理中あるいは粉砕処理後に、上部便器部側から適量の洗浄水を流し込むことで、粉砕されたサニタリー用品はこの洗浄水と共に便器の排出口から排水管（下水管）側に排出される。
【００１６】
粉砕手段を清掃したり、修理するときは、中間便器部全体を便器から取り外す。中間便器部を取り外した状態ではトイレが使用できなくなるので、中間便器部と同一形状となされた代替部材が上部便器部と底部便器部との間に装着固定される。こうすることで、通常の水洗トイレとして使用することができる。取り外された粉砕ユニットは、清掃するなり、修理してから、代替部材と交換される。代替部材には粉砕手段は装備されてはいない。
【００１７】
便器をこのように３分割した構成としないでも、粉砕ユニットの取り外しは可能である。例えば、溜まり部の一方の側壁に粉砕ユニットを装着できる装着孔を設け、他方の側壁に粉砕ユニットを支持する支持部を設ける。装着孔側から粉砕ユニットを水密的に装着固定することで、粉砕手段を回転駆動自在に溜まり部内に設置することができる。
【００１８】
粉砕ユニットを取り外すときは、装着孔を閉塞する代替部材（パッキン材）を用いる。この代替部材を利用することで、粉砕ユニットを取り外した状態でも通常のようにトイレを利用できる。
【００１９】
トイレ装置は、通常の固定式となされたトイレ装置（水洗トイレ）や可搬型の簡易トイレ装置に適用できる。
【発明の効果】
【００２０】
この発明では、回転刃を互いに噛み合わせた粉砕手段を含む粉砕ユニットを便器に着脱自在に取り付けられるようにすると共に、粉砕ユニットを取り外した部分に代替部材を装着できるようにしたものである。
【００２１】
これによれば、紙おむつなどを含めたサニタリー用品を確実に粉砕処理できるので、サニタリー用品処理装置などの特別な処理装置をなくすことができる。また、粉砕手段を含めた粉砕ユニットを便器から取り外せるので、粉砕手段の清掃や修理が容易になると共に、粉砕ユニットを取り外した状態でもトイレを使用することができるので、日常の生活上の不便を払拭できる。
【発明を実施するための最良の形態】
【００２２】
続いて、この発明に係るトイレ装置の好ましい実施例を図面を参照して詳細に説明する。
【００２３】
この発明に係るトイレ装置は、家庭用、業務用を問わず、現在使用されている洋式で水栓式のトイレ装置（固定式トイレ装置）の全てにその代替物として、あるいは新規設置分として適用できる。固定式トイレ装置の他に、介護用あるいは看護用として利用できる可搬型の簡易トイレ装置であって、水洗式であれば該簡易トイレ装置にもこの発明を適用できる。
【実施例１】
【００２４】
図１はこの発明に係るトイレ装置を固定式トイレ装置に適用した場合を示す。このトイレ装置は洋式の便器１００を備える。便器１００は、複数に分割され・組み立てられて使用される分割方式の便器であって、上部便器部１００Ａ、底部便器部１００Ｃおよびこれらの間に位置する中間便器部１００Ｂとで構成される。便器１００はプラスチック材や陶器などで構成される。
【００２５】
上部便器部１００Ａは開口部を有し、便座１１０が位置する。底部便器部１００Ｃが便器に設けられる溜まり部のうち底部側を構成し、中間便器部１００Ｂが溜まり部を構成する。
【００２６】
上部便器部１００Ａは両端が開口され、漏斗状をなす筒体であり、中間便器部１００Ｂは両端が開口された筒体であり、底部便器部１００Ｃは有底筒状体で、排水管に接続されるトラップ用の排出口が設けられている。
【００２７】
これら複数の便器部１００Ａ〜１００Ｃはビスなどの固定手段によって水密的に取り付け固定される。そのため、上部便器部１００Ａの下端面には固定用のフランジ１０２が一体成形され、このフランジ１０２と対峙するように中間便器部１００Ｂの上端面にもフランジ１０４が一体成形される。同じように、中間便器部１００Ｂと底部便器部１００Ｃとの間にもそれぞれ対応するフランジ１０６，１０８が設けられ、図１のように組み立てた状態で、ビスなどの固定手段およびパッキン材（図示はしない）によって相互が水密的に取り付け固定される。
【００２８】
便器１００は組み立てられた状態で使用されるため、図２に示すように便器１００に供給する洗浄水用のタンク（水洗タンク）１２２と便器１００とは非接触状態で据え付けられる。そのため取り付け台１２４を用いて水洗タンク１２２が固定される。
【００２９】
この発明では、便器１００内に粉砕ユニット６０を備える。粉砕ユニット６０は図３に示すように粉砕手段７０とその取り付け部材８０で構成される。粉砕手段７０は、図４に示すように、互いに噛合し合う関係に配置された第１および第２の回転刃部材７０Ａ，７０Ｂからなり、その両端が回転自在に取り付け部材８０に固定される。取り付け部材８０としてこの例では中間便器部１００Ｂが使用される。したがって、第１および第２の回転刃部材７０Ａ，７０Ｂはこの中間便器部１００Ｂを横切るように配置される。
【００３０】
図４に示すように、第１の回転刃部材７０Ａは、その回転軸７０ａに複数の回転刃７４（７４ａ、７４ｂ・・・）が所定の間隔を保持して配列される。第２の回転刃部材７０Ｂも同様に構成され、その回転軸７０ｂに同じ数か、１個多い回転刃７６（７６ａ，７６ｂ，・・・）が配列されて構成され、回転刃７４と７６とは互い違いとなるように配置される。回転刃７４，７６の大きさや設置すべき個数などは、粉砕ユニット６０の収容スペースによって変わる。
【００３１】
図４の図示状態において、その上端側が矩形状をなし、下端側がほぼ馬蹄形をなす中間便器部１００Ｂを使用する場合には、３〜５枚の回転刃を使用してそれぞれの回転刃部材７０Ａ，７０Ｂが構成される。図４では３枚の回転刃で構成した場合である。
【００３２】
ここで、互いに隣り合う回転刃７４と７６とは完全に噛み合う状態では配置されていない。それは、粉砕物は汚物、トイレットペーパーの他に、場合によっては生理用品や、紙おむつなどのサニタリー用品などが考えられる。これらの粉砕対象物はある程度の厚みがあることから、サニタリー用品をも切断し易くするため、これらの厚みを考慮して図３および図４に示すように、隣り合う回転刃７４と７６との間隔や、回転軸７０ａ，７０ｂまでの対向距離が設定される。
【００３３】
回転刃７４，７６としては、先端部が刃状となっている円盤状の回転刃や、その周面部に尖端を持った楕円状の回転刃（いわゆるクロスカット刃）などを使用することができる。前者の回転刃よりも後者の回転刃の方が、短冊状に細かく裁断できる。
【００３４】
図６は後者の回転刃７４の一例を示すもので、この例ではほぼ１８０°対向する位置に一対の尖端刃７５ａを有する。尖端刃７５ａは回転方向ａに向かって尖端刃７５ａの端面が対峙するような刃形状をなす。他方の回転刃７６においても同じ構造の尖端刃７７ａを有する（図３、図４参照）。
【００３５】
図３および図４に示すように、複数の回転刃７４を回転軸７０ａに取り付ける場合、尖端刃７５ａの取り付け位置は、順次所定角度（６０°程度）だけ回転位相（取り付け角）がずれるように取り付け固定される。他方の回転刃７６にあっても順次所定角度だけ回転位相がずれた状態で回転軸７０ｂに取り付け固定される。したがって、尖端刃７５ａ，７７ａ同士が互いに対峙した状態で少許の間隙を保持しながら回転駆動される。実際には回転刃７４と７６とは噛み合った状態で駆動される訳ではないが、汚物やサニタリー用品などの粉砕対象物を介在させた状態では、回転刃７４と７６とが噛み合うことになるので、粉砕対象物を細かく裁断することができる。
【００３６】
なお、図示はしないが、粉砕手段７０の上方に粉砕対象物を粉砕手段７０側に掻き込むための掻き込み手段を配置することもできる。掻き込み手段は、掻き込み刃を有する複数の回転体が配された、一対の掻き込み用回転部材で構成することができる。
【００３７】
また、回転刃部材７０Ａ、７０Ｂの下側に、回転刃７４と回転刃７４（回転刃７６と７６）との間に絡みついた粉砕物を掻き落とすための掻き落とし手段を設けることもできる。掻き落とし手段は、回転刃の間に入り込む櫛歯を有する板体などを利用できる。
【００３８】
上述した粉砕手段７０の取り付け部材８０としては、この例では上述したように中間便器部１００Ｂが使用される。中間便器部１００Ｂは図３および図４に示すように、ほぼ馬蹄形をなす筒体であって、図４のように左側壁７８ａと右側壁７８ｂとに差し亘って粉砕手段７０を構成する回転軸７０ａ、７０ｂが取り付けられる。そのため、この例では左側壁７８ａの所定位置には回転軸取り付け用の凹部７９ａが穿設され、他方この凹部７９ａと対峙する右側壁７８ｂには回転軸装着用の透孔（装着孔）７９ｂが穿設される。
【００３９】
凹部７９ａには回転軸７０ａ、７０ｂに対する軸支手段９０が嵌着される。軸支手段９０は図４に示すように、回転軸７０ａ，７０ｂ用の軸受け部９０ａ，９０ｂと、その支持部材９０ｃとで構成される。支持部材９０ｃは軸受け部９０ａ，９０ｂを共通に支持する部材であって、左側壁７８ａに対して水密的に装着できるような材質が使用される。この例では比較的硬質のゴム材かプラスチック材で成形されており、この支持部材９０ｃを取り付け用凹部７９ａに嵌め込むことで、回転軸７０ａ，７０ｂの左端部側が中間便器部１００Ｂの左側壁７８ａに固定される。
【００４０】
回転軸７０ａ，７０ｂの他端部側も軸支手段９２によって軸支される。軸支手段９２も回転軸７０ａ，７０ｂ用の軸受け部９２ａ，９２ｂと、その支持部材９２ｃとで構成される。支持部材９２ｃは軸受け部９２ａ，９２ｂを共通に支持する部材であって、軸支手段９０の場合と同じく右側壁７８ｂの装着孔７９ｂに対して水密的に装着できるような材質が使用される。この支持部材９２ｃを取り付け用装着孔７９ｂに嵌め込むことで、回転軸７０ａ，７０ｂの右端部側が中間便器部１００Ｂの右側壁７８ｂに固定される。この場合、念のため支持部材９２ｃはネジなどの固定手段によって右側壁７８ｂに固定されている。
【００４１】
右側壁７８ｂの外側には、図３、図４および図５にそれぞれ示すように、回転軸７０ａ，７０ｂを駆動するための駆動手段１３０が設けられる。そのため、それぞれの回転軸７０ａ、７０ｂには互いに噛合する歯車９７ａ、９７ｂが取り付けられると共に、この例では一方の回転軸７０ａ側に取り付けられたプーリ１３２を介して駆動モータ１３８からの回転力が伝達される。そのため、駆動モータ１３８側のプーリ１３４と、回転軸７０ａ側のプーリ１３２とがベルト１３６によって連結される。
【００４２】
駆動手段１３０は、外部に露呈しないように矩形状をなすケース１５０によってカバーされている。駆動手段１３０をこのように中間便器部１００Ｂの右側壁７８ｂの外面側に集約することで、取り付け部材８０を含めた粉砕手段７０とその駆動手段１３０全体を中間便器部１００Ｂと共に取り外すことができる。したがって中間便器部１００Ｂを便器本体から取り外すことで、粉砕手段７０の保守・点検、交換、修理を始めとして、その駆動手段１３０の保守・点検、交換や修理などを行うことができる。
【００４３】
なお、このように中間便器部１００Ｂを便器本体から取り外したときには、便器１００を使用することができなくなってしまう。この不便さを解消するため、
図７に示すように、中間便器部１００Ｂの代替部材として粉砕手段７０や駆動手段１３０のない補助便器部１４０が代替部材として用意される。
【００４４】
この補助便器部１４０はその外形および大きさは中間便器部１００Ｂと全く同じであって、馬蹄形の筒体で構成されると共に、その上下に取り付け用のフランジ１４２，１４４を備える。したがって中間便器部１００Ｂを取り外したときは、この中間便器部１００Ｂの代わりに補助便器部１４０が代替品として据え付け固定される（図７参照）。こうすることで、粉砕対象物に対する粉砕機能はないが、通常の便器として使用できるので、日常生活上の不便さは解消される。この補助便器部１４０は、中間便器部１００Ｂの取り外し時、修理メーカなどから提供されるものとすれば、ユーザ側で常備する必要はない。
【００４５】
上部便器部１００Ａ内には、漏斗状をなし、その下側の開口端面がほぼ矩形状をなす投下制限筒１５２が設けられる。投下制限筒１５２の下側開口面を絞ることで、上部便器部１００Ａの開口から投下されたサニタリー用品などが粉砕手段７０の中央部側に落下するようになり、サニタリー用品などを効率よく粉砕できるようになる。便器内で使用される洗浄水は、この上部便器部１００Ａ側から供給されるものであるから、投下制限筒１５２の内周面にサニタリー用品などが張り付いたとしても、洗浄水によって粉砕手段７０側に流し込むことができる。
【００４６】
図８はトイレ装置を駆動するための制御系１６０の一例を示す。この例ではＣＰＵで構成された制御部１６１を有し、この制御部１６１にはトイレ装置に設けられた電源スイッチ１６２と粉砕スイッチ１６４の各制御信号が供給される。電源スイッチ１６２および粉砕スイッチ１６４は何れも温水シャワーを備えた水洗制御部の操作パネル（何れも図示せず）に装備することができる。この場合には電源スイッチ１６２は水洗制御部の電源スイッチが共用される。粉砕スイッチ１６４は駆動モータ１３８を駆動制御するためのスイッチである。
【００４７】
制御部１６１からの制御信号に基づいて、この例では駆動モータ１３８と、洗浄水を供給するための給水用電磁弁１６６が所定のタイミングで制御される。
【００４８】
図９にそのタイミングチャートの一例を示す。図９は電源スイッチ１６２を投入した後のタイミングチャートを示す。排便終了後や、サニタリー用品投入後に粉砕スイッチ１６４が操作される（図９Ａ）。粉砕スイッチ１６４が投入されると駆動モータ１３８が駆動されるため、その回転力が図３などに示す伝達系を介して粉砕手段７０に伝達されて、粉砕手段７０が回転駆動される（図９Ｂ）。
【００４９】
粉砕手段７０は多数の回転刃によって構成されているので、汚物は回転刃７４と７６との間に食い込まれることで、噛合する回転刃７４，７６同士の作用で、短冊状に裁断される。同じく、投下されたサニタリー用品（上述したように紙おむつなどを含む）も、回転刃７４と７６との間に食い込まれることで、サニタリー用品は噛合する回転刃７４，７６同士の作用で、短冊状に裁断される。回転刃はクロスカット刃であるので、短冊状に裁断されたサニタリー用品はさらに細かく裁断されて粉砕される。
【００５０】
粉砕処理時間Ｔ１が経過する前の所定時間、この例では粉砕処理が開始されてから所定時間ΔＴ１後に給水用の電磁弁１６６が作動する（図９Ｃ）。給水用電磁弁１６６の作動により投下制限筒１５２に案内された粉砕水は中間便器部１００Ｂの中央部に集中するから、粉砕されたサニタリー用品は水分を含んだ状態で底部便器部１００Ｃ側に落下する。粉砕された粉砕物は底部便器部１００Ｃに設けられた溜まり部１０９内に滞留してから排出口１０９ａ側に排出される。この滞留によって粉砕されたサニタリー用品が多少軟化するから、粉砕されたサニタリー用品の排出がスムーズになる。
【００５１】
汚物以外にベビー用品から成人用品までを考慮すると、サニタリー用品の大きさがまちまちであることから、粉砕処理時間Ｔ１や給水時間Ｔ２は比較的長目に選定される。この例では、所定時間Ｔ１，Ｔ２とも、１０〜２０秒位に設定されている。これらの時間Ｔ１，Ｔ２を外部から調整できるように構成することもできる。例えば、外部に設けた調整ボタンによって「短、中、長」のような３段階に切り替えられるようにすることも可能である。給水タイミングは、図９Ｄのように粉砕処理が終了した時点から開始することも可能である。
【００５２】
便器１００には通常所定の水量が洗浄水として貯留している。この洗浄水は通常底部便器部１００Ｃ内を満たすように貯留され、汚物などを排水管側に排出し易くしているが、この例でも貯留するのが好ましい。この場合、汚物やサニタリー用品などを粉砕し易くするために、図３に示すように、粉砕手段７０を満たすように洗浄水が貯留されていた方が好ましい。その場合、中間便器部１００Ｂを取り外すときは、少なくとも中間便器部１００Ｂ内に貯留されている洗浄水はポンプなどでくみ上げてから行うことは言うまでもない。
【実施例２】
【００５３】
図１０に実施例２を説明する。実施例１では、粉砕手段７０の取り付け部材８０として中間便器部１００Ｂそのものを使用した場合を例示した。すなわち、この場合の取り付け部材８０は中間便器部１００Ｂを利用して、ここに粉砕手段７０の軸支手段９０，９２を取り付けた場合である。そのため、便器１００を３つに分割した。
【００５４】
実施例２において使用される便器１００は非分割型である。つまり、通常の便器が使用される。ただし、便器１００の内部構成は若干異なる。便器１００のうち溜まり部１０９に相当する部分に、粉砕ユニット６０を付設する必要があるからである。
【００５５】
粉砕ユニット６０は、上述したように粉砕手段７０とその取り付け部材８０とで構成される。粉砕手段７０は便器１００に対して着脱自在に構成される。したがってこの例では、粉砕手段７０の軸支手段９０，９２そのものが粉砕手段７０に対する取り付け部材８０として機能する。
【００５６】
そのため、図１０に示すように、一体成形された便器１００のうち溜まり部１０９付近の側壁のうち、左側壁９８ａには粉砕手段７０の回転軸７０ａ、７０ｂを支持するための支持部としての取り付け用凹部９９ａが穿設される。この取り付け用凹部９９ａと対峙する右側壁９８ｂには一対の回転軸７０ａ、７０ｂを取り付けるための装着孔９９ｂが穿設される。
【００５７】
一対の回転軸７０ａ，７０ｂの左端側には軸支手段９０が設けられ、この軸支手段９０が取り付け用凹部９９ａに嵌着されることで、左側壁９８ａに取り付け固定される。同様に、一対の回転軸７０ａ，７０ｂの右端側にも軸支手段９２が設けられ、この軸支手段９２が装着孔９９ｂ内に水密的に装着固定される。これによって、粉砕手段７０は左右側壁９８ａ、９８ｂに取り付け固定されたことになる。
【００５８】
また、粉砕手段７０そのものを便器１００に対して着脱自在とするため、装着孔９９ｂは、粉砕手段７０の外形よりも一回り大きな透孔として形成される。これによって粉砕手段７０自体を便器１００に対して挿脱できるようになる。この例では、軸支手段９０，９２自体も粉砕手段７０と一体的に挿脱される場合を示す。
【００５９】
このように便器１００の一方の側壁９８ｂに装着孔９９ｂを穿設し、対する他方の側壁９８ａに軸支手段９０を固定する凹部９９ａを設けることで、粉砕手段７０を便器１００に対して着脱自在に取り付けることができる。粉砕ユニット６０を取り外したときは、便器１００を使用できるようにするため、装着孔９９ｂを閉塞する代替部材（パッキン材）が装着固定される。
【００６０】
粉砕ユニット６０を取り外すことができるので、粉砕手段７０の保守・点検や、交換を簡単に行うことができる。粉砕手段７０は溜まり部１０９内に位置しているので、粉砕手段７０を取り外すときは、貯留されている洗浄水を抜く作業が必要であることは言うまでもない。
【実施例３】
【００６１】
上述した実施例１および実施例２は、何れもこの発明を固定式のトイレ装置に適用した。この発明はさらに可搬型の簡易トイレ装置にも適用できる。この種簡易トイレ装置にあっても、その内部に粉砕手段を設ける場合には、粉砕手段を取り外したりする必要があるからである。
【００６２】
図１１はこの発明を適用できる可搬型簡易トイレ装置１０の一例を示す要部断面図である。この可搬型簡易トイレ装置１０は便器本体２０を有する。便器本体２０は通常の水洗式トイレ（洋式トイレ）とほぼ同じ漏斗状の断面形状をなすが、その全体形状は箱型として構成される。
【００６３】
便器本体２０を軽量化するため、この例では便器本体２０はプラスチックによる成型品であるが陶器等の他の素材を使用して成形してもよい。便器本体２０の上部開口部側には便座２１が位置すると共に、この便座２１および上部開口部を閉塞するような便蓋２３が設けられている。
【００６４】
便器本体２０の底部がトラップ水（溜まり水）や汚物の溜まり部１８となる。この溜まり部１８は上述した溜まり部１０９に相当する。溜まり部１８に連通して断面が略「へ」の字状をなす排出部２２が設けられ、排出口２７に排出ホース１４が連結される。排出口２７は上述した排出口１０９ａに相当する。便器本体２０の背面部２０ｂに連結部２６が設けられると共に、便器本体２０の内部であって、開閉弁として機能する電磁弁２４が連結部２６に近接して設けられている。
【００６５】
電磁弁２４は、溜まり部１８内のトラップ水（汚物を含んだ水）を便器外に排出するときだけ開くように制御され、トイレを使用していないときは閉じられている。漏水を防止するためである。この電磁弁２４は漏水防止の他に、圧送手段を構成するエアコンプレッサ（後述する）を使用して溜まり部１８内を加圧するときの圧縮空気の漏止を防止する機能もある。
【００６６】
便器本体２０の上部近辺で、排出部側の壁面１８ａには洗浄水の給水口２８が設けられている。本体背面部２０ｂに設けられた連結部３４とこの給水口２８との間には連結管３０が配される。連結管３０は分岐管が使用され、給水口２８に向かう連結管３０に洗浄水を制御するための電磁弁３２が取り付けられている。連結部３４に連結される給水ホース１２からの給水をこの電磁弁３２によって制御できるようにするためである。
【００６７】
分岐された連結管３０にも電磁弁３３を介して洗浄ホース（洗浄管）２４０が連結されている。洗浄ホース２４０の先端部は溜まり部１８のトラップ水の水面よりも上側に突出するように設けられている。この洗浄ホース２４０による注水（実際には噴射）によって、後述するように溜まり部１８内と開閉蓋２１２の裏面の洗浄が行われる。
【００６８】
なお、給水口２８と壁面１８ａとの間にはゴム状の漏水防止管２９が介挿され、洗浄ホース２４０が貫通する溜まり部１８にも漏水防止管２４２が介挿され、外部への漏水の防止を図っている。
【００６９】
溜まり部１８の底部には排泄物等の粉砕手段６０が設けられる。粉砕手段６０は上述したように粉砕手段７０と、この粉砕手段７０を便器２０に取り付ける取り付け部材とで構成される。図１１では、粉砕手段７０を構成する回転刃７４，７６が図示されている。取り付け部材８０は便器２０の側壁に設けられるため、取り付け部材は図示されていないが、この場合の取り付け部材は実施例２と同じく粉砕手段７０のみを取り付け、取り外しできるように構成されている。したがって、便器２０の一方の側壁にのみ装着孔が穿設されている。溜まり部１８内に落下した汚物（排泄物など）やトイレットペーパーなどが粉砕手段７０によって細かく粉砕され、粉砕された流状物はトラップ水と混合して排出される。
【００７０】
底面板２０ｃの内側にはＣＰＵなどで構成された制御部５０（上述した制御部１６１に相当する）が配される。上述した排出用電磁弁２４、給水用電磁弁３２、３３などが、制御部５０によって所定のタイミングで所定の時間だけ制御される。制御部５０用の電源スイッチ５２は本体背面部２０ｂに設けられ、本体上面部であって、便蓋２３の下面には開閉スイッチ５５（上述した粉砕スイッチに相当する）が設けられている。
【００７１】
この簡易トイレ装置１０はさらに以下の構造を有する。図１１に示すように、便器本体２０における溜まり部１８の上部であって、給水口２８よりも下側の所定位置には、溜まり部１８に所定の圧縮空気を送給するための粉砕物用圧送手段２００が設けられる。この溜まり部１８の上部であって、圧送手段２００の取り付け位置よりも若干上部側に縮径部２３０が設けられる。そしてこの縮径部２３０を閉塞し、溜まり部１８を密閉できるように、縮径部２３０の下面には開閉蓋機構２１０が設けられる。
【００７２】
圧送手段２００はエアコンプレッサで構成することができ、このエアコンプレッサ２００の送給管２０４が取り付け手段２０６を介して溜まり部１８側に導出される。取り付け手段２０６は溜まり部１８のトラップ水の水面より上部に設けられる。エアコンプレッサ２００は便器本体２０の背面空間部２０ａ内に設けられた取り付け板２０２に固定される。
【００７３】
縮径部２３０は環状フランジ部として構成され、溜まり部１８の内面に向かうように所定長だけ突出している。上述した送給管２０４は溜まり部１８のトラップ水と縮径部２３０との間に位置している。
【００７４】
縮径部２３０は図１１からも明らかなように、その全体が多少排出部２２側に傾斜するように設けられている。縮径部２３０の下面側には、この縮径部２３０を閉塞できるように、この例では回動式の開閉蓋機構２１０が設けられている。
【００７５】
開閉蓋機構２１０は蓋本体２１２を有し、この蓋本体２１２の一端、図の例では右端部が回動軸部２１４となされ、この回動軸部２１４が縮径部２３０の下面部２３２に位置するように、便器本体２０に対して回動自在に軸支される。この軸支部は便器本体２０に対して水密的に軸支されている。
【００７６】
蓋本体２１２は、その周面が縮径部２３０の下面縁部２３４と当接した状態となるように付勢される。蓋本体２１２は下面縁部２３４に沿った形状をなすと共に、通常はこの下面縁部２３４に接触して溜まり部１８内を密閉できるように、回動軸部２１４と下面部２３２の壁面との間には付勢用のバネ２１６が巻き付けられている。
【００７７】
縮径部２３０は排出部２２側に多少傾斜するように設けられているので、開閉蓋機構２１０を構成する蓋本体２１２自体も、排出部２２側に傾いて取り付けられる。このように蓋本体２１２を傾けて取り付けるようにすれば、蓋本体２１２の上面に落下した排泄物を残らず、溜まり部１８内に落とし込むことができる。
【００７８】
上述した洗浄ホース２４０は、蓋本体２１２の裏面側と溜まり部１８の周面の一部の双方に、洗浄水を噴射できるような角度をもってその先端部が溜まり部１８内に取り付けられる。この例では蓋本体２１２の回動軸部２１４の近傍であって、その下部側に水密的に取り付け固定される。便器本体２０には給水ホースと排出ホースとが連結されると共に、それらは固定式のトイレ装置（便器）内に導かれる。
【００７９】
上述した開閉スイッチ５５は便座２１の上部を閉蓋するための便蓋２３の開閉に関連してオンオフする。制御部５０からの制御信号によって上述した排出用電磁弁２４、給水用電磁弁３２、洗浄用電磁弁３３およびエアコンプレッサ２００の各駆動状態が制御される。この例では、便蓋２３の開閉に関連して粉砕処理がなされる。それ以外は上述したのと同様であるが、粉砕処理が終了してからエアコンプレッサ２００が駆動されて、溜まり部１８の内部に圧縮空気が送給されて加圧される。加圧処理時間は溜まり部１８内の内圧が所定値（例えば２気圧）まで上昇する時間に設定される。内圧の所定値とは、排出ホースを介して固定式トイレ装置内に流状物を確実に圧送して排出できる程度の圧力を言う。
【００８０】
加圧時間が経過すると、エアコンプレッサ２００を駆動した状態で、つまり圧縮空気を溜まり部１８の内部に送給した状態で、排出用電磁弁２４が駆動される。排出用電磁弁２４が駆動されて排出口２７が開けられると、溜まり部１８内のトラップ水（流状物）は、圧縮空気によって一気に圧送されて、排出ホース側へと排出される。圧送期間が経過すると、排出用電磁弁２４への通電が解除されると共に、エアコンプレッサ２００の駆動を停止する。これで、排出口２７が閉じられる。その後、給水用電磁弁３２が作動して溜まり部１８内への給水が開始される。その給水時間は、溜まり部１８内のトラップ水が所定量となる注水時間に設定される。給水用の電磁弁３２の作動に同期して洗浄用の電磁弁３３も作動させ、洗浄ホース２４０を介して溜まり部１８内への注水、具体的には蓋本体２１２の裏面への噴射および溜まり部１８の壁面への噴射が行われる。この洗浄水の噴射によって、蓋本体２１２の裏面および溜まり部１８の壁面や粉砕手段７０の洗浄が行われる。
【００８１】
なお、上述した実施例２，３において矩形状をなすフレーム部材を追加し、このフレーム部材に取り付け部材８０を含めた粉砕手段７０を差し渡すように構成してもよい。この場合、粉砕手段７０がフレーム部材によって支持されているので、粉砕手段７０の取り付け状態（姿勢）が安定し、またフレーム部材ごと装着孔７９ａ，７９ｂから脱着することができ、脱着作業が容易に行える。
【産業上の利用可能性】
【００８２】
この発明は、家庭用のみならず、ホテル、各種病院、老人介護施設などに設置されているトイレ装置および家庭内や、上記各施設で使用される可搬型の簡易トイレ装置に適用できる。
【図面の簡単な説明】
【００８３】
【図１】この発明を固定式のトイレ装置に適用したときの一例を示す構成図である。
【図２】その側面図である。
【図３】図１の縦断面図である。
【図４】図１の横断面図である。
【図５】図１の要部の側面図である。
【図６】この発明に適用できる粉砕手段を構成する回転刃の平面図である。
【図７】粉砕ユニットを取り外して代用の補助便器部を取り付けた状態を示す要部の縦断面図である。
【図８】この発明に係るトイレ装置の制御系を示す要部の構成図である
【図９】そのタイミングチャートの一例を示す図である。
【図１０】この発明の他の実施例を示す図１と同様な断面図である。
【図１１】この発明を可搬型の簡易トイレ装置に適用したときの一例を示す要部断面図である。
【符号の説明】
【００８４】
６０・・・粉砕ユニット、７０・・・粉砕手段、７０Ａ，７０Ｂ・・・回転刃部材、７４，７６・・・回転刃、８０・・・取り付け部材、９０，９２・・・軸支手段、１００・・・便器、１３０・・・駆動手段
【図１】
2007239264.tif 000003
【図２】
2007239264.tif 000004
【図３】
2007239264.tif 000005
【図４】
2007239264.tif 000006
【図５】
2007239264.tif 000007
【図６】
2007239264.tif 000008
【図７】
2007239264.tif 000009
【図８】
2007239264.tif 000010
【図９】
2007239264.tif 000011
【図１０】
2007239264.tif 000012
【図１１】
2007239264.tif 000013